(57)【要約】【課題】筐体の前面に設けた表示パネルの大きさを大きくしたり、筐体の前面に複数の表示部を設けたりすることなく、一度に表示できる画像読取や画像形成に関する情報を増やす。【解決手段】画像読取装置は、第１の表示部が設けられた箱形のフレームと、コンタクトガラスと、コンタクトガラスに載置された原稿を読み取る読取部と、開閉部材とを備える。開閉部材は、本体部と、本体部の対向面に設けられ、コンタクトガラスに載置された原稿を押さえる平板状の原稿押さえ部材と、開閉部材の開閉に連動して原稿押さえ部材を対向面に沿って移動させる移動機構と、開閉部材が閉じられた状態では原稿押さえ部材により覆われているが、開閉部材が予め定められた角度以上開かれた状態では移動機構による移動により原稿押さえ部材により覆われなくなる対向面の位置に設けられた第２の表示部とを有する。【選択図】図４
2018072648.tif 000002
【特許請求の範囲】
【請求項１】
第１の表示部が設けられた箱形のフレームと、
前記フレームの一面に設けられたコンタクトガラスと、
前記フレーム内に設けられ、前記コンタクトガラスに載置された原稿を読み取る読取部と、
前記フレームの前記一面の一端部を支点として開閉自在に設けられた開閉部材と、を備え、
前記開閉部材は、本体部と、前記フレームの前記一面に対向する前記本体部の対向面に設けられ、前記コンタクトガラスに載置された原稿を押さえる平板状の原稿押さえ部材と、前記開閉部材の開閉に連動して前記原稿押さえ部材を前記対向面に沿って移動させる移動機構と、前記開閉部材が閉じられた状態では前記原稿押さえ部材により覆われているが、前記開閉部材が予め定められた角度以上開かれた状態では前記移動機構による移動により前記原稿押さえ部材により覆われなくなる前記対向面の位置に設けられた第２の表示部とを有する、画像読取装置。
【請求項２】
前記移動機構は、前記原稿押さえ部材を、前記フレームの前記一面の前記一端部に接近する方向に移動させ、
前記第２の表示部は、前記対向面の前記一端部から離間する方向側の端部に設けられている、請求項１に記載の画像読取装置。
【請求項３】
前記開閉部材の開閉に連動して前記第２の表示部の表示面の向きを変更する向き変更機構であって、前記開閉部材が開かれた角度に応じて前記第２の表示部の表示面の向きを変えて、 前記開閉部材が予め定められた角度以上開かれた状態で前記第２の表示部の表示面が水平方向に向くように、前記第２の表示部の表示面の向きを変更する向き変更機構を更に備える、請求項１または請求項２に記載の画像読取装置。
【請求項４】
前記向き変更機構は、前記開閉部材が閉じられた状態において、前記第２の表示部の表示面が前記本体部の前記対向面に向くように、第２の表示部の表示面の向きを変更し、
前記本体部は、少なくとも前記第２の表示部に対向する部分が、光透過性の部材から構成されている、請求項１乃至請求項３の何れか１項に記載の画像読取装置。
【請求項５】
前記第１の表示部および前記第２の表示部による表示動作を制御する表示制御部を更に備え、
前記表示制御部は、前記第１の表示部に、前記読取部による読み取り動作に関連する情報を含む表示画面を表示させ、前記開閉部材が予め定められた角度開かれた場合に、前記第２の表示部による表示動作を開始させ、前記第１の表示部に表示された前記表示画面に含まれる前記情報のうちの一部の情報を含む表示画面を、前記第２の表示部に表示させる、請求項１乃至請求項４の何れか１項に記載の画像読取装置。
【請求項６】
前記表示制御部は、前記第１の表示部に表示させる表示画面を変更した場合、変更後の表示画面に含まれる情報のうちの一部の情報を含む表示画面を前記第２の表示部に表示させて、前記第２の表示部に表示させる表示画面を変更する、請求項５に記載の画像読取装置。
【請求項７】
前記第１の表示部が表示する表示画面に対する操作を受け付ける受付部を更に備え、
前記第１の表示部が表示する表示画面には、複数のオブジェクトが含まれ、
前記表示制御部は、前記受付部が受け付けた操作により、前記表示画面に含まれる複数のオブジェクトのうちの１つのオブジェクトが選択された場合に、当該選択された１つのオブジェクトに関連付けられた情報を含む表示画面を前記第２の表示部に表示させる、請求項５または請求項６に記載の画像読取装置。
【請求項８】
請求項１乃至請求項７の何れか１項に記載の画像読取装置と、
前記画像読取装置により読み取られた画像を記録紙に形成する画像形成部と、を備える画像形成装置。
【発明の詳細な説明】
【技術分野】
【０００１】
本発明は、画像読取装置および画像形成装置に関する。
【背景技術】
【０００２】
画像読取装置や画像形成装置では、一般に、筐体の前面に表示パネルが設けられている（例えば、下記の特許文献１を参照）。この表示パネルには画像読取や画像形成に関する情報が表示され、これらの情報をユーザーに報知している。
【先行技術文献】
【特許文献】
【０００３】
【特許文献１】特開２００３−３２３０８４号公報
【発明の概要】
【発明が解決しようとする課題】
【０００４】
しかしながら、筐体の前面に設けることができる表示パネルの大きさには限りがあり、画像読取や画像形成に関する情報を一画面に表示することができない場合がある。複数の表示パネルを設けることで一度に表示できる情報量を増やすことができるが、この複数の表示パネルをユーザーから視認し易い位置に設ける必要がある。
【０００５】
本発明は、上記の事情に鑑みなされたものであり、筐体の前面に設けた表示パネルの大きさを大きくしたり、筐体の前面に複数の表示パネルを設けたりすることなく、一度に表示できる画像読取や画像形成に関する情報を増やすことを目的とする。
【課題を解決するための手段】
【０００６】
本発明の一局面にかかる画像読取装置は、第１の表示部が設けられた箱形のフレームと、前記フレームの一面に設けられたコンタクトガラスと、前記フレーム内に設けられ、前記コンタクトガラスに載置された原稿を読み取る読取部と、前記フレームの前記一面の一端部を支点として開閉自在に設けられた開閉部材と、を備え、前記開閉部材は、本体部と、前記フレームの前記一面に対向する前記本体部の対向面に設けられ、前記コンタクトガラスに載置された原稿を押さえる平板状の原稿押さえ部材と、前記開閉部材の開閉に連動して前記原稿押さえ部材を前記対向面に沿って移動させる移動機構と、前記開閉部材が閉じられた状態では前記原稿押さえ部材により覆われているが、前記開閉部材が予め定められた角度以上開かれた状態では前記移動機構による移動により前記原稿押さえ部材により覆われなくなる前記対向面の位置に設けられた第２の表示部とを有する、画像読取装置である。
【０００７】
また、本発明の別の一局面にかかる画像形成装置は、上記の画像読取装置と、上記の画像読取装置により読み取られた画像を記録紙に形成する画像形成部と、を備える画像形成装置である。
【発明の効果】
【０００８】
本発明によれば、筐体の前面に設けた表示パネルの大きさを大きくしたり、筐体の前面に複数の表示パネルを設けたりすることなく、一度に表示できる画像読取や画像形成に関する情報を増やすことができる。
【図面の簡単な説明】
【０００９】
【図１】本発明の一実施形態にかかる画像読取装置を備えた画像形成装置を示す斜視図である。
【図２】本発明の一実施形態にかかる画像読取装置の構造を示す側断面図である。
【図３】本発明の一実施形態にかかる画像読取装置において、原稿搬送装置が開かれた状態を示す図である。
【図４】（Ａ）〜（Ｃ）は、本発明の一実施形態にかかる画像読取装置において、原稿搬送装置の開閉状態に応じた原稿押さえ部材と副表示部との位置を示す図である。
【図５】（Ａ）および（Ｂ）は、本発明の一実施形態にかかる画像読取装置において、原稿搬送装置の本体部の一面を下側から視認した図である。
【図６】本発明の一実施形態にかかる画像読取装置の内部構成を示すブロック図である。
【図７】（Ａ）は、本発明の一実施形態にかかる画像読取装置の主表示部に表示される画像を示す図であり、（Ｂ）は、本発明の一実施形態にかかる画像読取装置の副表示部に表示される画像を示す図である。
【発明を実施するための形態】
【００１０】
以下、本発明の一実施形態にかかる画像読取装置および画像形成装置について図面を参照して説明する。図１は、本発明の一実施形態にかかる画像読取装置を備えた画像形成装置を示す斜視図である。
【００１１】
画像形成装置１は、ファクシミリ通信機能、コピー機能、プリンター機能、およびスキャナー機能などの複数の機能を兼ね備えた複合機である。図１に示すように、画像形成装置１は、装置本体８０と、装置本体８０の上方に配置された画像読取装置１０とから概略構成される。
【００１２】
装置本体８０の外郭を構成する筐体８１の内部には、不図示の給紙部や画像形成部などが収容されている。画像形成部は、画像読取装置１０が原稿を読み取って生成した画像データに基づき、給紙部から搬送された記録紙上に画像を形成する。画像形成済みの記録紙は、定着処理が施された後に排出トレイ８２に排出される。
【００１３】
図２は、画像読取装置１０の構成を示す側断面図である。図１および図２に示すように、画像読取装置１０は、読取装置３０と、読取装置３０の上方に配置された原稿搬送装置２０とを備えている。
【００１４】
原稿搬送装置２０は、筐体としての本体部２３と、原稿トレイ２１と、原稿排出トレイ２２と、不図示のピックアップローラー対、搬送ローラー対、および排紙ローラー対などを含む搬送機構とを備えている。原稿搬送装置２０は、ピックアップローラー対により原稿トレイ２１に載置された原稿束を１枚ずつ繰り出して、搬送ローラー対により読取装置３０の後述する第１コンタクトガラス３１のプラスＹ方向（第１方向）側の面（表面）の予め定められた読取位置へ搬送し、第１コンタクトガラス３１を介して読取装置３０による読取を可能とした後、排紙ローラー対により原稿を原稿排出トレイ２２へと排出する。
【００１５】
読取装置３０は、箱形の筐体３８（フレーム）の主面３８ａに設けられた開口に第１コンタクトガラス３１および第２コンタクトガラス３２が嵌め込まれている。筐体３８内における第１コンタクトガラス３１および第２コンタクトガラス３２のマイナスＹ方向側には、主走査方向（図中のＺ方向）に延びた読取ユニット３４（読取部）が設けられている。読取ユニット３４は、赤色ＬＥＤ、緑色ＬＥＤ、青色ＬＥＤの複数のＬＥＤ等から構成された発光部（不図示）と、ＣＭＯＳ（Complementary Metal Oxide Semiconductor）イメージセンサー等の受光部（不図示）とから構成された画像読取センサーであり、副走査方向（図中のＸ方向）に移動可能に設けられている。
【００１６】
画像読取装置１０は、原稿の読取方式として、原稿搬送読取方式および原稿固定読取方式をともに具備する。原稿固定読取では、モーターやギアなどからなる読取ユニット駆動部（不図示）により読取ユニット３４が副走査方向に往復移動して、第２コンタクトガラス３２に載置された原稿を読み取る。一方、原稿搬送読取では、読取ユニット３４を第１コンタクトガラス３１の裏面側に固定した状態で、原稿搬送装置２０により搬送されて第１コンタクトガラス３１の表面上の読取位置を通過する原稿を読み取る。
【００１７】
また、読取装置３０の筐体３８の前面には、操作部９１および主表示部９２（第１の表示パネル）が配置されている。主表示部９２は、液晶ディスプレイ（ＬＣＤ：Liquid Crystal Display）や有機ＥＬ（ＯＬＥＤ：Organic Light-Emitting Diode）ディスプレイを含んで構成される。また、操作部９１は、主表示部９２に表示される画面に対する操作をユーザーから受け付ける複数の操作キーである。主表示部９２の前面にタッチパネルが設けられている場合、当該タッチパネルが操作部９１となる。操作部９１などを用いたユーザー操作により、画像形成装置１や画像読取装置１０には、画像形成指示や画像読取指示などが入力される。
【００１８】
ここで、原稿搬送装置２０は、図３に示すように、筐体３８の主面３８ａに対して開閉自在に設けられており、開閉部材としての役割を果たす。筐体３８の主面３８ａのプラスＺ方向の一端部には、筐体３８に固定されたベース部３９が設けられている。ベース部３９は、原稿搬送装置２０の本体部２３に設けられた回動軸６１を回動可能な状態で支持している。ユーザーにより原稿搬送装置２０が上下動されると（図２中の矢印Ｓ１）、原稿搬送装置２０が回動軸６１を中心にして回動する（図２中の矢印Ｓ２）。これにより、原稿搬送装置２０が筐体３８の主面３８ａの一端部を支点として開閉される。
【００１９】
図２に示すように、原稿搬送装置２０は、原稿押さえ部材４０および副表示部５０（第２の表示パネル）を備えている。原稿押さえ部材４０は、ＰＥＴフィルムなどの白色のシート部材であり、柔軟性を有するクッション材４１や後述するベルト６５を介して、筐体３８の主面３８ａに対向する本体部２３の一面２３ａ（対向面）に設けられている。原稿押さえ部材４０は、開閉部材としての原稿搬送装置２０が閉じられた状態のときに、第２コンタクトガラス３２に対向し、第２コンタクトガラス３２に載置された原稿を固定する役割を果たす。また、原稿押さえ部材４０は、原稿読取の際に読取ユニット３４から出射された光を高反射率で反射する反射部材としての役割を果たす。
【００２０】
ここで、原稿搬送装置２０は、更に、原稿搬送装置２０の開閉に連動して、原稿押さえ部材４０を本体部２３の一面２３ａに沿って移動させる移動機構を備えている。当該移動機構は、複数のギヤ、プーリー、ベルトなどから構成されている。
【００２１】
原稿搬送装置２０が回動軸６１を中心にして回動すると（図２中の矢印Ｓ２）、回動軸６１と同一軸に設けられた第１ギヤ６２が回動する。第１ギヤ６２が回動すると、第１ギヤ６２と噛合する第２ギヤ６３および当該第２ギヤ６３と同一軸に設けられた第１プーリー６４が図２中の矢印Ｓ３方向に回動する。第１プーリー６４が回動することにより、第１プーリー６４と第２プーリー６６とに張架されたベルト６５が図２中の矢印Ｓ４方向に移動する。
【００２２】
ベルト６５には、クッション材４１が接着されており、ベルト６５が図２中の矢印Ｓ４方向に移動することで、原稿押さえ部材４０が図２中の矢印Ｓ５方向に移動する。この原稿押さえ部材４０が移動する方向Ｓ５は、本体部２３の一面２３ａに沿った方向であって、原稿押さえ部材４０が開閉する際の支点となる筐体３８の主面の３８ａの一端部に接近する方向となる。
【００２３】
副表示部５０は、液晶ディスプレイや有機ＥＬディスプレイを含んで構成される。副表示部５０には、主表示部９２よりも表示面のサイズが小さく、輝度、解像度、応答速度などの性能が主表示部９２よりも低い低コストのディスプレイが用いられる。副表示部５０は、原稿押さえ部材４０が開閉する際の支点となる筐体３８の主面の３８ａの一端部から離間する方向側の一面２３ａの端部に設けられている。副表示部５０は、原稿搬送装置２０が閉じられた状態では、本体部２３の一面２３ａと原稿押さえ部材４０との間に位置して原稿押さえ部材４０により覆われているが、図３に示すように、原稿搬送装置２０が予め定められた角度以上開かれた状態では、上記の移動機構による原稿押さえ部材４０の移動により原稿押さえ部材４０により覆われなくなり、ユーザーに視認される状態となる。すなわち、副表示部５０は、原稿搬送装置２０が閉じられた状態では、本体部２３の一面２３ａと原稿押さえ部材４０との間に位置するが、原稿搬送装置２０が予め定められた角度以上開かれた状態では、本体部２３の一面２３ａと原稿押さえ部材４０との間に位置しなくなる位置に設けられている。
【００２４】
図４（Ａ）〜図４（Ｃ）は、原稿搬送装置２０の開閉状態に応じた原稿押さえ部材４０と副表示部５０との位置を示す図である。また、図５（Ａ）および図５（Ｂ）は、原稿搬送装置２０の本体部２３の一面２３ａを下側から視認した図である。
【００２５】
図４（Ａ）に示すように、原稿搬送装置２０が閉じられた状態では、副表示部５０が本体部２３の一面２３ａと原稿押さえ部材４０との間に位置している。このため、原稿搬送装置２０の本体部２３の一面２３ａを下側から視認した場合、図５（Ａ）に示すように、副表示部５０が原稿押さえ部材４０により覆われている。このため、副表示部５０が第２コンタクトガラス３２に載置された原稿に接触することなく、原稿押さえ部材４０により原稿を第２コンタクトガラス３２上に固定することができる。
【００２６】
図４（Ａ）に示した状態から、ユーザーにより原稿搬送装置２０が上下動されると、図４（Ｂ）に示す状態となる。この図４（Ｂ）に示した状態では、図４（Ａ）に示した状態と比較して、原稿押さえ部材４０の位置が原稿押さえ部材４０が開閉する際の支点となる筐体３８の主面の３８ａの一端部に接近する方向に移動している。一方、副表示部５０は、図４（Ａ）に示した状態と同様に、本体部２３の一面２３ａと原稿押さえ部材４０との間に位置している。このため、原稿搬送装置２０の本体部２３の一面２３ａを下側から視認した場合、図５（Ａ）に示すように、副表示部５０が原稿押さえ部材４０により覆われている。
【００２７】
図４（Ｂ）に示した状態から、ユーザーにより原稿搬送装置２０が更に上下動されると、図４（Ｃ）に示す状態となる。この図４（Ｃ）に示した状態では、図４（Ｂ）に示した状態と比較して、原稿押さえ部材４０の位置が原稿押さえ部材４０が開閉する際の支点となる筐体３８の主面の３８ａの一端部に接近する方向に更に移動している。これにより、副表示部５０が本体部２３の一面２３ａと原稿押さえ部材４０との間に位置しなくなる。このため、原稿搬送装置２０の本体部２３の一面２３ａを下側から視認した場合、図５（Ｂ）に示すように、副表示部５０が原稿押さえ部材４０により覆われなくなり、ユーザーに視認される状態となる。
【００２８】
図２に戻って、原稿搬送装置２０は、更に、原稿搬送装置２０の開閉に連動して副表示部５０の表示面の向きを変更する向き変更機構を備えている。当該向き変更機構は、複数のギヤ、プーリー、ベルトなどから構成されている。
【００２９】
原稿搬送装置２０の開閉に連動して第２プーリー６６が矢印Ｓ６方向に回動すると、第２プーリー６６と同一軸に設けられた第３ギヤ７１が回動する。第３ギヤ７１が回動すると、第３ギヤ７１と噛合する第４ギヤ７２および当該第４ギヤ７２と同一軸に設けられた第３プーリー７３が矢印Ｓ７方向に回動する。第３プーリー７３が回動することにより、ベルト７４が張架された第４プーリー７５が矢印Ｓ８方向に回動する。第４プーリー７５の回動軸は、副表示部５０を支持する支持軸となっており、第４プーリー７５の回動に応じて副表示部５０の表示面の向きが変更される。このように、向き変更機構は、開閉部材としての原稿搬送装置２０が開かれた角度に応じて副表示部５０の表示面の向きを変える。
【００３０】
上記の向き変更機構により、図４（Ｃ）に示すように、図４（Ｂ）に示した状態から副表示部５０の表示面の向きが変更される。図４（Ｃ）に示す状態では、副表示部５０の表示面は水平方向に向いている。これにより、副表示部５０がユーザーに視認されやすい状態となる。このように、上記の向き変更機構は、原稿搬送装置２０が予め定められた角度以上開かれた状態において、副表示部５０の表示面が水平方向に向くように、副表示部５０の表示面の向きを変更する機構である。
【００３１】
図６は、画像読取装置１０の内部構成を示すブロック図である。本図に示すように、画像読取装置１０は、制御ユニット１００を備えている。制御ユニット１００は、ＣＰＵ(Central Processing Unit)、ＲＡＭ（Random Access Memory）、およびＲＯＭ（Read Only Memory）などから構成される。制御ユニット１００は、上記のＲＯＭなどに記憶された制御プログラムが上記のＣＰＵに実行されることにより、動作制御部１０１、表示制御部１０２、および受付部１０３として機能する。なお、制御ユニット１００の動作制御部１０１、表示制御部１０２、および受付部１０３は、上記の制御プログラムに基づく動作によらず、それぞれハード回路により構成されてもよい。
【００３２】
動作制御部１０１は、画像形成部による画像形成動作やおよび読取ユニット３４による画像読取動作などの動作制御を司る。
【００３３】
受付部１０３は、操作部９１や主表示部９２が備えるタッチパネルに対して行われたユーザー操作に基づき、画像形成指示や画像読取指示を受け付ける機能を有する。
【００３４】
表示制御部１０２は、主表示部９２および副表示部５０による表示動作を制御する機能を有する。表示制御部１０２は、主表示部９２に、読取ユニット３４による画像読取動作に関連する情報を含む表示画面を表示させる。図７（Ａ）に示す例では、主表示部９２には、画像読取動作における設定情報、および、ユーザーが行うべき操作を指示する情報を含む表示画面が表示されている。
【００３５】
また、表示制御部１０２は、原稿搬送装置２０が予め定められた角度開かれた場合に、副表示部５０による表示動作を開始させる。そして、表示制御部１０２は、主表示部９２に表示された表示画面に含まれる情報のうちの一部の情報を含む表示画面を、副表示部５０に表示させる。図７（Ｂ）に示す例では、副表示部５０には、主表示部９２に表示された表示画面に含まれる情報のうち、ユーザーが行うべき操作を指示する情報を含む表示画面が表示されている。このように、副表示部５０に、主表示部９２に表示された情報のうちの一部の情報を表示することにより、主表示部９２に表示された情報のうち特に重要な情報をユーザーに再報知することができる。
【００３６】
また、表示制御部１０２は、受付部１０３が表示画面の遷移指示を受け付けたり、予め定められた時間が経過したりして、主表示部９２に表示させる表示画面を変更した場合、当該表示後の表示画面に含まれる情報のうちの一部の情報を含む表示画面を副表示部５０に表示させる。これにより、副表示部５０に表示される表示画面が変更される。
【００３７】
なお、本発明は、上記の実施の形態の構成に限られず種々の変形が可能である。
【００３８】
＜変形例１＞
主表示部９２が表示する表示画面には、予め定められた処理が関連付けられた複数のオブジェクトが含まれる。図７（Ａ）に示す表示画面の例では、コピー開始処理に関連付けられたオブジェクトＤ１、コピー設定のキャンセル処理に関連付けられたオブジェクトＤ２、品質設定の変更処理に関連付けられたオブジェクトＤ３、および、エコプリント設定に関連付けられたオブジェクトＤ４などが含まれている。
【００３９】
変形例１にかかる画像読取装置では、表示制御部１０２は、受付部１０３が受け付けた操作により表示画面に含まれる複数のオブジェクトのうちの１つのオブジェクトが選択された場合には、当該選択された１つのオブジェクトに関連付けられた情報を含む表示画面を副表示部５０に表示させる。このオブジェクトに関連付けられた情報は、予め画像読取装置の記憶部などに記憶されている。
【００４０】
例えば、図７（Ａ）に示す表示画面においてオブジェクトＤ３が選択された場合には、表示制御部１０２は、副表示部５０に、オブジェクトＤ３に関連付けられた情報である「品質設定を変更できます」という情報を含む表示画面を表示させる。また、オブジェクトＤ１が選択された場合には、表示制御部１０２は、副表示部５０に、オブジェクトＤ１に関連付けられた情報である「コピーを開始することができます」という情報を含む表示画面を表示させる。これにより、ユーザーは、副表示部５０を確認することで、主表示部９２に表示されたオブジェクトを押下した場合に生じる処理の内容を知ることができる。
【００４１】
＜変形例２＞
変形例２にかかる画像読取装置では、向き変更機構は、開閉部材としての原稿搬送装置２０が閉じられた状態において、副表示部５０の表示面が本体部２３の一面２３ａに向くように、副表示部５０の表示面の向きを変更する。また、本体部２３は、少なくとも副表示部５０に対向する部分が、アクリル樹脂などの光透過性の部材から構成されている。これにより、開閉部材としての原稿搬送装置２０が閉じられた状態であっても、原稿搬送装置２０の上方から副表示部５０を視認することができる。従って、原稿搬送装置２０が開かれた状態だけでなく、原稿搬送装置２０が閉じられた状態においても、副表示部５０に表示画面を表示して、ユーザーに何らかの情報を報知することが可能となる。
【符号の説明】
【００４２】
１     画像形成装置
１０   画像読取装置
２０   原稿搬送装置
３０   読取装置
３１   第１コンタクトガラス
３２   第２コンタクトガラス
３４   読取ユニット
４０   原稿押さえ部材
４１   クッション材
５０   副表示部
９１   操作部
９２   主表示部
１００ 制御ユニット
１０１ 動作制御部
１０２ 表示制御部
１０３ 受付部
【図１】
2018072648.tif 000003
【図２】
2018072648.tif 000004
【図３】
2018072648.tif 000005
【図４】
2018072648.tif 000006
【図５】
2018072648.tif 000007
【図６】
2018072648.tif 000008
【図７】
2018072648.tif 000009